(57)【要約】【課題】リモコン装置において、ユーザが複数のリモコンキー画像の中から所望のリモコンキー画像をタッチ操作する際に、リモコンキー画像の視認性を良くして誤操作を防ぐ。【解決手段】タッチ式リモコン装置は、タッチパネル１１ａを有する表示部１１と、メインマイコンとを備える。ユーザによって、表示部１１のグループアイコン画像Ｇ１がタッチ操作されると、メインマイコンは、タッチ操作されたグループアイコン画像Ｇ１に割当てられている複数のリモコンキー画像Ｋ１１〜Ｋ１４を表示する。そして、メインマイコンは、タッチ操作されたグループアイコン画像Ｇ１以外のグループアイコン画像Ｇ２〜Ｇ９をグレーアウトする。ユーザが、リモコンキー画像のうち、所望のリモコンキー画像をタッチ操作すると、メインマイコンは、タッチ操作された位置にあるリモコンキー画像が選択されたと判定し、このリモコンキー画像に対応する制御コマンドを実行する。【選択図】図５
2013152566.tif 000002
【特許請求の範囲】
【請求項１】
各種画像を表示する表示手段と、
前記表示手段の画面上を覆うように配設され、ユーザによるタッチ操作を検知するタッチパネルと、
外部機器を制御するための制御コマンドに対応するリモコンキー画像を、前記表示手段に表示する画像表示制御手段と、
ユーザによって前記タッチパネルがタッチ操作されたときに、タッチされた位置にあるリモコンキー画像が選択されたと判定する選択判定手段と、
前記選択判定手段によってユーザが選択したと判定された前記リモコンキー画像に対応する制御コマンドを、前記外部機器に送信する送信手段とを備えるリモコン装置において、
前記画像表示制御手段は、前記表示手段の１画面上に、複数の前記リモコンキー画像が割当てられたグループアイコン画像を複数表示し、ユーザによって、該グループアイコン画像がタッチ操作されると、該タッチ操作されたグループアイコン画像に割当てられている複数の前記リモコンキー画像を前記表示手段に表示することを特徴とするリモコン装置。
【請求項２】
前記画像表示制御手段は、ユーザによって前記グループアイコン画像がタッチ操作されると、該タッチ操作されたグループアイコン画像の周囲に、該タッチ操作されたグループアイコン画像に割当てられている複数の前記リモコンキー画像を表示することを特徴とする請求項１に記載のリモコン装置。
【請求項３】
前記画像表示制御手段は、ユーザによって前記グループアイコン画像がタッチ操作されると、該タッチ操作されたグループアイコン画像以外の前記グループアイコン画像を、グレーアウト表示して選択できないようにすることを特徴とする請求項１又は２に記載のリモコン装置。
【請求項４】
前記選択判定手段は、ユーザによって前記グループアイコン画像がタッチ操作された後、タッチ位置がスライドされたときに、該タッチ操作されたグループアイコン画像に割当てられている複数の前記リモコンキー画像のうち、タッチ位置がスライドされた方向に位置するリモコンキー画像が選択されたと判定することを特徴とする請求項１乃至３のいずれか一項に記載のリモコン装置。
【発明の詳細な説明】
【技術分野】
【０００１】
本発明は、タッチパネルを有するリモコン装置に関する。
【背景技術】
【０００２】
近年、タッチパネル式のリモコン装置（以下、タッチ式リモコン装置という）が知られている。タッチ式リモコン装置の表示部には、家電機器を制御するための制御コマンドに対応するリモコンキー画像が表示されている。ユーザは、表示部に表示されたリモコンキー画像をタッチすることにより、各種操作を行うことができる。
【０００３】
ところで、近年、家電機器の多機能化が進んでいる。家電機器の多機能化に伴って、制御コマンドの数も増加しているため、タッチ式リモコン装置の表示部には、多くのリモコンキー画像を表示する必要がある。
【０００４】
これに対して、リモコンキー画像の表示サイズを小さくすることにより、表示部に多くのリモコンキー画像を表示するタッチ式リモコン装置が知られている。しかしながら、このタッチ式リモコン装置では、ユーザが小さいリモコンキー画像をタッチしなければならないため、リモコンキー画像の視認性が悪く、所望のリモコンキー画像以外をタッチしてしまう、所謂、誤操作を行うことが多いという問題が生じる。
【０００５】
上記問題に対して、複数の画面上にリモコンキー画像を分割して表示して１画面に表示するリモコンキー画像の数を少なくすることにより、１画面上のリモコンキー画像の表示サイズを大きくするタッチ式リモコン装置が知られている。図８（ａ）〜（ｃ）のそれぞれは、複数の画面上にリモコンキー画像を分割して表示するタッチ式リモコン装置の表示部１０１を示す。図８に示すように、このタッチ式リモコン装置では、表示部１０１の３画面分を使用して複数のリモコンキー画像を表示している。しかしながら、このタッチ式リモコン装置では、ユーザは、複数の画面の中から所望のリモコンキー画像を探し出す必要があるため、リモコンキー画像の操作性が悪いという問題がある。
【０００６】
また、特許文献１には、接触座標の周囲に配置する各々の配置点を算出し、複数の入力アイコンから各々の配置点までの距離を算出し、入力アイコンから配置点までの距離が最も小さくなる組み合わせの配置点に入力アイコンを表示する制御部を備え、操作者のアイコンを探すための視線の移動量と、入力操作を行う指や手等の動作を低減する表示装置が開示されている。しかしながら、この表示装置では、複数のリモコンキー画像を表示する場合に、ユーザによるリモコンキー画像の視認性を良くすることができない。
【０００７】
また、特許文献２には、特定ソフトキー間への接触が検出された場合、特定ソフトキーを除くソフトキーの少なくとも一部を表示しないで、使用者の接触の意図が少ないと判断されるソフトキーが示すオブジェクトの入力を行わないようにする情報処理装置が開示されている。しかしながら、この情報処理装置であっても、複数のリモコンキー画像を表示する場合に、ユーザによるリモコンキー画像の視認性を良くすることができない。
【０００８】
また、特許文献３には、デジタル放送に含まれるリモコンの操作ボタンに関する情報に基づいて、リモコンの操作ボタンに応じたタッチ操作のための操作画像をディスプレイに表示し、タッチパネルによって操作画像へのタッチ操作が検出された場合に、該タッチ操作が検出された操作画像に対応するリモコンの操作ボタンと同じ動作を実行するデジタル放送受信装置が開示されている。しかしながら、この情報処理装置であっても、複数のリモコンキー画像を表示する場合に、ユーザによるリモコンキー画像の視認性を良くすることができない。
【先行技術文献】
【特許文献】
【０００９】
【特許文献１】特開２０１１−２１００８３号公報
【特許文献２】特開２０１１−１０７８０４号公報
【特許文献３】特開２００７−２９５５８４号公報
【発明の概要】
【発明が解決しようとする課題】
【００１０】
本発明は、上述した問題点を解決するためになされたものであり、ユーザが複数のリモコンキー画像の中から所望のリモコンキー画像をタッチ操作する際に、リモコンキー画像の視認性を良くして、リモコンキー画像の誤操作を防ぐと共に、ユーザが所望のリモコンキー画像を容易に探し出すことが可能なリモコン装置を提供することを目的とする。
【課題を解決するための手段】
【００１１】
上記目的を達成するために本発明に係るリモコン装置は、各種画像を表示する表示手段と、前記表示手段の画面上を覆うように配設され、ユーザによるタッチ操作を検知するタッチパネルと、外部機器を制御するための制御コマンドに対応するリモコンキー画像を、前記表示手段に表示する画像表示制御手段と、ユーザによって前記タッチパネルがタッチ操作されたときに、タッチされた位置にあるリモコンキー画像が選択されたと判定する選択判定手段と、前記選択判定手段によってユーザが選択したと判定された前記リモコンキー画像に対応する制御コマンドを、前記外部機器に送信する送信手段とを備えるリモコン装置において、前記画像表示制御手段は、前記表示手段の１画面上に、複数の前記リモコンキー画像が割当てられたグループアイコン画像を複数表示し、ユーザによって、該グループアイコン画像がタッチ操作されると、該タッチ操作されたグループアイコン画像に割当てられている複数の前記リモコンキー画像を前記表示手段に表示するものである。
【００１２】
この発明において、前記画像表示制御手段は、ユーザによって前記グループアイコン画像がタッチ操作されると、該タッチ操作されたグループアイコン画像の周囲に、該タッチ操作されたグループアイコン画像に割当てられている複数の前記リモコンキー画像を表示することが好ましい。
【００１３】
この発明において、前記画像表示制御手段は、ユーザによって前記グループアイコン画像がタッチ操作されると、該タッチ操作されたグループアイコン画像以外の前記グループアイコン画像を、グレーアウト表示して選択できないようにすることが好ましい。
【００１４】
この発明において、前記選択判定手段は、ユーザによって前記グループアイコン画像がタッチ操作された後、タッチ位置がスライドされたときに、該タッチ操作されたグループアイコン画像に割当てられている複数の前記リモコンキー画像のうち、タッチ位置がスライドされた方向に位置するリモコンキー画像が選択されたと判定することが好ましい。
【発明の効果】
【００１５】
本発明によれば、１画面上に複数のグループアイコン画像を表示し、ユーザによってグループアイコン画像がタッチ操作されると、タッチ操作されたグループアイコン画像に割当てられている複数のリモコンキー画像を表示する。そのため、ユーザは、複数の画面上に表示された複数のリモコンキー画像の中から、所望のリモコンキー画像を探し出す必要がない。従って、ユーザは、所望のリモコンキー画像を容易に探し出すことができる。
【００１６】
また、タッチ操作されたグループアイコン画像に割当てられたリモコンキー画像のみを表示手段に表示するため、１画面上に表示されるリモコンキー画像の数を減らすことができる。従って、リモコンキー画像の表示サイズを大きくすることができるので、ユーザによるリモコンキー画像の視認性が良くなり、ユーザは所望のリモコンキー画像を容易に探し出すことができる。また、リモコンキー画像のサイズを大きくすることができるため、ユーザが所望のリモコンキー画像以外をタッチ操作してしまう、所謂、誤操作を防ぐこともできる。
【図面の簡単な説明】
【００１７】
【図１】本発明の一実施形態に係るタッチ式リモコン装置の斜視図。
【図２】上記タッチ式リモコン装置の内部構成を示すブロック図。
【図３】上記タッチ式リモコン装置の表示部に表示されるグループアイコン画像を示す説明図。
【図４】上記タッチ式リモコン装置のメインマイコンにより制御処理の手順を示すフローチャート。
【図５】上記タッチ式リモコン装置のグループアイコン画像をタッチ操作した際のリモコンキー画像の表示を示す説明図。
【図６】上記タッチ式リモコン装置の変形例におけるグループアイコン画像をタッチ操作した際のリモコンキー画像の表示の例を示す説明図。
【図７】上記タッチ式リモコン装置の別の変形例におけるグループアイコン画像をタッチ操作した際のリモコンキー画像の表示の例を示す説明図。
【図８】従来のタッチ式リモコン装置に表示されるリモコンキー画像を示す説明図。
【発明を実施するための形態】
【００１８】
以下、本発明の一実施形態に係るタッチパネル式のリモコン装置（以下、タッチ式リモコン装置という；請求項におけるリモコン装置）について、図１及び図２を参照して説明する。図１は、タッチ式リモコン装置１の外観を示し、図２は、タッチ式リモコン装置１の電気的ブロック構成を示す。
【００１９】
タッチ式リモコン装置１は、ユーザによるタッチ操作に応じて、テレビジョン（以下、ＴＶという）受像機やブルーレイレーコーダを含むＡＶ（Ａｕｄｉｏ  Ｖｉｄｅｏ）機器（外部機器）にリモコンコードを送信して制御するものである。
【００２０】
タッチ式リモコン装置１は、各種画像を表示する表示部（表示手段）１１と、ＡＶ機器にリモコンコードを送信するリモコンコード送信部（送信手段）１２と、メモリ１３と、メニューボタン１４と、メインマイコン（画像表示制御手段、選択判定手段）１０とを備える。
【００２１】
表示部１１は、操作キーとして機能するタッチパネル１１ａを有する。タッチパネル１１ａは、表示部１１の画面上を覆うように配設され、ユーザによるタッチ操作を検知する。表示部１１には、ＡＶ機器を制御するための制御コマンドに対応するリモコンキー画像と、複数のリモコンキー画像が割当てられたグループアイコン画像とが表示される。ユーザはグループアイコン画像やリモコンキー画像をタッチすることにより各種操作を行う。
【００２２】
リモコンコード送信部１２は、ユーザによってタッチ操作されたリモコンキー画像に対応する制御コマンドを、ＲＦ（Ｒａｄｉｏ  Ｆｒｅｑｕｅｎｃｙ）信号を用いてＡＶ機器に送信する。具体的には例えば、ユーザによって「再生」のリモコンキー画像がタッチ操作されると、リモコンコード送信部１２は、「再生」を指示するためのリモコンコード（制御コマンド）を、ＲＦ信号を用いてＡＶ機器に送信する。
【００２３】
メモリ１３は、タッチ式リモコン装置１を制御するプログラム１３ａと、割当てデータ１３ｂとを記憶している。割当てデータ１３ｂには、各グループアイコン画像に割当てられている複数のリモコンキー画像の情報が格納されている。
【００２４】
メニューボタン１４は、ユーザによって操作され、表示部１１にメニュー画面を表示するように指示するためのボタンである。
【００２５】
メインマイコン１０は、ユーザによる操作に応じて、リモコンコード送信部１２を用いて、ＡＶ機器にリモコンコードを送信するように制御する。また、メインマイコン１０は、割当てデータ１３ｂの内容に応じて、表示部１１に表示するグループアイコン画像やリモコンキー画像を表示する制御も行う。また、メインマイコン１０は、ユーザによってタッチパネル１１ａがタッチ操作されたときに、タッチされた位置にあるグループアイコン画像やリモコンキー画像が選択されたと判定する。
【００２６】
次に、表示部１１に表示される画面について、図３を参照して説明する。表示部１１の１画面上には、複数のリモコンキー画像が割当てられたグループアイコン画像Ｇ１〜Ｇ９が表示されている。グループアイコン画像Ｇ１〜Ｇ９のそれぞれには、割当てられているリモコンキー画像の名称が表示されている。例えば、グループアイコン画像Ｇ７には、「１」、「２」、「３」、及び「４」の各リモコンキー画像が割当てられているため、グループアイコン画像Ｇ７は、「１」、「２」、「３」、及び「４」の４つの数字を表示している。
【００２７】
次に、ユーザがリモコンキー画像を選択する際のメインマイコン１０の制御処理について、図４に示すフローチャートを参照して説明する。ここでは、既に、図３に示すグループアイコン画像Ｇ１〜Ｇ９が表示部１１に表示されているものとする。
【００２８】
ユーザによって、所望のリモコンキー画像が割当てられているグループアイコン画像Ｇ１〜Ｇ９がタッチ操作されると（Ｓ１）、メインマイコン１０は、タッチ操作されたグループアイコン画像Ｇ１〜Ｇ９に割当てられている複数のリモコンキー画像を表示部１１に表示する（Ｓ２）。そして、メインマイコン１０は、上記Ｓ１でタッチ操作されたグループアイコン画像以外のグループアイコン画像を、グレーアウト表示して選択できないようにする（Ｓ３）。
【００２９】
そして、ユーザが、上記Ｓ２で表示されたリモコンキー画像のうち、所望のリモコンキー画像をタッチ操作すると（Ｓ４）、メインマイコン１０は、ユーザによってタッチ操作された位置にあるリモコンキー画像が選択されたと判定し（Ｓ５）、このリモコンキー画像に対応する制御コマンドを実行する（Ｓ６）。
【００３０】
次に、表示部１１に表示されるリモコンキー画像について、図５を参照して説明する。ここでは、上記図３に示したグループアイコン画像Ｇ１がタッチ操作されたものとする。
【００３１】
メインマイコン１０は、ユーザによってタッチ操作されたグループアイコン画像Ｇ１の周囲に、タッチ操作されたグループアイコン画像Ｇ１に割当てられている複数のリモコンキー画像Ｋ１１〜Ｋ１４を表示する（上記図４のＳ２に相当）。このとき、メインマイコン１０は、ユーザによってタッチ操作されたグループアイコン画像Ｇ１以外のグループアイコン画像Ｇ２〜Ｇ９を、グレーアウト表示して選択できないようにする（上記図４のＳ３に相当）。
【００３２】
次に、ユーザによって選択されたリモコンキー画像の判定処理の詳細について、上記図５を参照して説明する。ここでは、既にユーザによってグループアイコン画像Ｇ１がタッチ操作されており、グループアイコン画像Ｇ１に割当てられたグループアイコン画像Ｋ１１〜Ｋ１４が表示部１１に表示されているものとする。
【００３３】
メインマイコン１０は、ユーザによってグループアイコン画像Ｇ１がタッチ操作された後、タッチ位置がスライドされたときに（上記図４のＳ４に相当）、タッチ操作されたグループアイコン画像Ｇ１に割当てられている複数のリモコンキー画像Ｋ１１〜Ｋ１４のうち、タッチ位置がスライドされた方向に位置するリモコンキー画像Ｋ１１〜Ｋ１４が選択されたと判定する（上記図４のＳ５に相当）。
【００３４】
具体的には例えば、ユーザの指がグループアイコン画像Ｇ１をタッチ操作して、複数のリモコンキー画像Ｋ１１〜Ｋ１４が表示された後に、ユーザが指を、図５中の白抜き矢印Ａの方向にスライドさせた場合（上記図４のＳ４に相当）、メインマイコン１０は、ユーザによってリモコンキー画像Ｋ１３が選択されたと判定する（上記図４のＳ５に相当）。そして、メインマイコン１０は、リモコンキー画像Ｋ１３に対応する制御コマンド「Ａ−Ｂ」を実行する（上記図４のＳ６に相当）。
【００３５】
上述したように、本実施形態に係るタッチ式リモコン装置１によれば、表示部１１の１画面上に複数のグループアイコン画像Ｇ１〜Ｇ９を表示し、ユーザによってグループアイコン画像Ｇ１〜Ｇ９がタッチ操作されると、タッチ操作されたグループアイコン画像Ｇ１〜Ｇ９に割当てられている複数のリモコンキー画像を表示する。そのため、ユーザは、複数の画面上に表示された複数のリモコンキー画像の中から、所望のリモコンキー画像を探し出す必要がない。従って、ユーザは、所望のリモコンキー画像を容易に探し出すことができる。
【００３６】
また、タッチ操作されたグループアイコン画像Ｇ１〜Ｇ９に割当てられたリモコンキー画像のみを表示部１１の１画面に表示するため、１画面上に表示されるリモコンキー画像の数を減らすことができる。従って、リモコンキー画像の表示サイズを大きくすることができるので、ユーザによるリモコンキー画像の視認性が良くなり、ユーザは所望のリモコンキー画像を容易に探し出すことができる。また、リモコンキー画像のサイズを大きくすることができるため、ユーザが所望のリモコンキー画像以外をタッチ操作してしまう、所謂、誤操作を防ぐこともできる。
【００３７】
また、タッチ式リモコン装置１では、ユーザによってタッチ操作されたグループアイコン画像Ｇ１〜Ｇ９の周囲に、タッチ操作されたグループアイコン画像Ｇ１〜Ｇ９に割当てられている複数のリモコンキー画像を表示する。その結果、ユーザは、タッチしたグループアイコン画像Ｇ１〜Ｇ９の周囲に表示されたリモコンキー画像を探すだけでよいため、リモコンキー画像の操作性及び視認性が良くなり、リモコンキー画像の誤操作を防ぐことができる。
【００３８】
また、タッチ式リモコン装置１では、ユーザによってタッチ操作されたグループアイコン画像Ｇ１〜Ｇ９以外のグループアイコン画像Ｇ１〜Ｇ９を、グレーアウト表示して選択できないようにする。その結果、リモコンキー画像の視認性が良くなり、ユーザによるリモコンキー画像の誤操作を防ぐことができる。
【００３９】
次に、上記タッチ式リモコン装置１の変形例について、図６を参照して説明する。図６は、上記図３に示したグループアイコン画像Ｇ１がユーザによってタッチ操作されたときのリモコンキー画像Ｋ１１〜Ｋ１４の表示を示す。
【００４０】
メインマイコン１０は、ユーザによってグループアイコン画像Ｇ１がタッチ操作されると、図６に示すように、グループアイコン画像Ｇ１に割当てられている複数のリモコンキー画像Ｋ１１〜Ｋ１４を、表示部１１の画面の中央に表示する。
【００４１】
このように、本変形例のタッチ式リモコン装置１では、図５に示したリモコンキー画像の表示と比べて、リモコンキー画像Ｋ１１〜Ｋ１４の視認性をより向上させることができ、リモコンキー画像Ｋ１１〜Ｋ１４の誤操作をより確実に防ぐことができる。
【００４２】
次に、上記タッチ式リモコン装置１の別の変形例について、図７を参照して説明する。図７は、上記図３に示したグループアイコン画像Ｇ１がユーザによってタッチ操作されたときのリモコンキー画像Ｋ１１〜Ｋ１４の表示を示す。
【００４３】
メインマイコン１０は、ユーザによってグループアイコン画像Ｇ１がタッチ操作されると、図７に示すように、グループアイコン画像Ｇ１に割当てられている複数のリモコンキー画像Ｋ１１〜Ｋ１４を、グループアイコン画像Ｇ１を囲むように表示する。
【００４４】
このように、本変形例のタッチ式リモコン装置１では、図５に示したリモコンキー画像の表示と異なり、グループアイコン画像Ｇ１をタッチ操作されたときに、タッチされたグループアイコン画像Ｇ１とリモコンキー画像Ｋ１１〜Ｋ１４とを、表示部１１の画面上に、同時に表示させることができるので、リモコンキー画像Ｋ１１〜Ｋ１４の誤操作をより確実に防ぐことができる。
【００４５】
なお、本発明は、上記実施形態の構成に限られず、発明の趣旨を変更しない範囲で種々の変形が可能である。例えば、上記実施形態では、ユーザによってタッチ操作されたグループアイコン画像以外のグループアイコン画像をグレーアウト表示して選択できないようにする例を示したが、グレーアウトしているグループアイコン画像をユーザが選択できるように制御してもよい。
【符号の説明】
【００４６】
１  タッチ式リモコン装置（リモコン装置）
１０  メインマイコン（画像表示制御手段、選択判定手段）
１１  表示部（表示手段）
１２  リモコンコード送信部（送信手段）
１１ａ  タッチパネル
Ｇ１〜Ｇ９  グループアイコン画像
Ｋ１１〜Ｋ１４  リモコンキー画像
【図１】
2013152566.tif 000003
【図２】
2013152566.tif 000004
【図３】
2013152566.tif 000005
【図４】
2013152566.tif 000006
【図８】
2013152566.tif 000007
【図５】
2013152566.tif 000008
【図６】
2013152566.tif 000009
【図７】
2013152566.tif 000010